(57)【要約】【課題】ノート型パソコン等のＭＰＵを冷却する小型の冷却ファンにおいては、その筐体の空気吹き出し口部で風の逆流が生じやすいため、風量・静圧にロスがあって、放熱部のフインを十分に冷却できなく、したがって、発熱部品の温度を大きく下げることができないことがある。【解決手段】羽根を持ち回転軸を中心に回転する回転ファン体８と、回転ファン体８を収容する偏平なファン筐体７と、ファン筐体７の回転軸に対して垂直な面に形成された円形の空気吸い込み口と、ファン筐体７の空気吸い込み口が形成された面に対して垂直な側面のうちいずれかの一側面のみに形成された空気吹き出し口９とを備え、ファン筐体７に、空気吹き出し口からファン筐体７の側面に沿って回転ファン体の回転方向の逆方向に向けて連続したほぼＬ状の形状の風洞部１０を形成し、風洞部１０の空気吸い込み口側は、空気吸い込み口に沿って円弧状に形成されていることを特徴とする。【選択図】図１
2008182265.tif 000002
【特許請求の範囲】
【請求項１】
羽根を持ち回転軸を中心に回転する回転ファン体と、
前記回転ファン体を収容する偏平なファン筐体と、
前記ファン筐体の前記回転軸に対して垂直な面に形成された円形の空気吸い込み口と、
前記ファン筐体の前記空気吸い込み口が形成された面に対して垂直な側面のうちいずれかの一側面のみに形成された空気吹き出し口とを備え、
前記ファン筐体に、前記空気吹き出し口から前記ファン筐体の前記側面に沿って前記回転ファン体の回転方向の逆方向に向けて連続したほぼＬ状の形状の風洞部を形成し、前記風洞部の空気吸い込み口側は、前記空気吸い込み口に沿って円弧状に形成されていることを特徴とする小型冷却ファン。
【発明の詳細な説明】
【技術分野】
【０００１】
本発明は、パーソナルコンピュータ、その他の電子機器におけるＭＰＵ等の発熱部品の放熱に用いる小型冷却ファンに関する。
【背景技術】
【０００２】
一般に電気機器、たとえば、多機能、高性能のパーソナルコンピュータ等の小型の電子機器には、機能部品としてＭＰＵを用いているが、このＭＰＵは発熱し、約９０℃以上になると熱破壊することから、ＭＰＵに冷却装置を付設し、ＭＰＵで発生する熱を放熱して機器の安全を図るようにしている。前記冷却装置としては小型なものが要望されており、放熱フインをもつ通常の冷却モジュールでは十分な冷却ができない。したがって、図４の従来の冷却モジュールの一部切欠斜視図、および図５の同冷却モジュールの平面図に示すように小型冷却ファンを主構成部品とし、かつ、冷却モジュール化された冷却装置が用いられている。
【０００３】
この冷却装置は、導熱材料であるアルミダイカストよりなる筐体１と、その内部に回転ファン２をもつ偏平な冷却ファン３に対し、ＭＰＵ等の発熱部品４を接合した受熱部５を接合し、また、冷却ファン３の空気吹き出し側に放熱フインをもつ放熱部６を接合し、いわゆる冷却モジュール化された構成となっている。そして、冷却モジュールとしてヒートシンク作用と、発熱部品４の熱を伝えた放熱部６を回転ファン２の回転で生じる風で放熱部６のフインを強制冷却することにより、放熱・冷却するようにしている。
【特許文献１】特開２０００−０９７１９１号公報
【発明の開示】
【発明が解決しようとする課題】
【０００４】
ところで、近来のノート型パーソナルコンピュータ等は、画像処理等のためにＭＰＵ当における使用周波数が高くなっていることから、高い温度の発熱をするようになってきており、前記の冷却装置においては十分に冷却することができにくい。特に冷却ファンにおいては、その筐体の空気吹き出し口で風の逆流が生じやすいため、風量・静圧にロスがあって、放熱部のフインを十分に冷却できなく、したがって、画像処理等のために高い周波数を扱うＭＰＵ等の発熱部品の温度を大きく下げることができない。また、十分な冷却をするには大きな冷却ファンを用いなければならなく、ノート型パーソナルコンピュータ等の冷却装置として使用しにくい。
【０００５】
本発明は前記従来の問題に留意し、空気吹き出し口部において風の逆流が起こりにくく、風量・静圧のロスが小さい、そしてノート型パーソナルコンピュータ等の発熱部品の放熱に適した小型冷却ファンを提供することを目的とする。しかしながら、このような従来の電動機では、次のような問題点を有していた。
【課題を解決するための手段】
【０００６】
この課題を解決するために、本発明の小型冷却ファンは、羽根を持ち回転軸を中心に回転する回転ファン体と、前記回転ファン体を収容する偏平なファン筐体と、前記ファン筐体の前記回転軸に対して垂直な面に形成された円形の空気吸い込み口と、前記ファン筐体の前記空気吸い込み口が形成された面に対して垂直な側面のうちいずれかの一側面のみに形成された空気吹き出し口とを備え、前記ファン筐体に、前記空気吹き出し口から前記ファン筐体の前記側面に沿って前記回転ファン体の回転方向の逆方向に向けて連続したほぼＬ状の形状の風洞部を形成し、前記風洞部の空気吸い込み口側は、前記空気吸い込み口に沿って円弧状に形成されていることを特徴としたものである。
【発明の効果】
【０００７】
本発明は、偏平なファン筐体内に羽根をもつ回転ファン体を備えた小型冷却ファンであって、そのファン筐体に、空気吹き出し口からファン筐体の側面に沿って回転ファン体の回転方向の逆方向に向けて連続したほぼＬ状の形状の風洞部を形成し、その風洞部の空気吸い込み口側は、空気吸い込み口に沿って円弧状に形成されている構成としたため、空気吹き出し口部において風の逆流が起こりにくく、風量・静圧ロスが小さい、そして小型な冷却ファンを実現できるものであり、その効果は大きい。
【０００８】
また、風洞部が風路を確保するだけでなく、その風洞部の風路断面積が空気吸い込み口に沿って風の流れる方向に向けて漸次拡大し、空気の圧力が分散されながら風速が低下することにより、その分空気吹き出し口部において風の逆流が起こりにくくなり、風の流れをスムースにし、風量・静圧ロスを小さくすることができ、その結果吹き出される風量をより高風量とすることができる。
【発明を実施するための最良の形態】
【０００９】
本発明の請求項１に記載の発明は、偏平なファン筐体内に羽根をもつ回転ファン体を備えた小型冷却ファンであって、そのファン筐体に、空気吹き出し口からファン筐体の側面に沿って回転ファン体の回転方向の逆方向に向けて連続したほぼＬ状の形状の風洞部を形成し、その風洞部の空気吸い込み口側は、空気吸い込み口に沿って円弧状に形成されている構成としたため、風洞部が空気吹き出しを助成し、空気吹き出し口部において風の逆流が起こりにくく、風量・静圧のロスが小さいものにするという作用を有する。
【００１０】
また、風洞部が風路を確保するだけでなく、風洞部の風路断面積が空気吸い込み口に沿って風の流れる方向に向けて漸次拡大し、空気の圧力が分散されながら風速が低下することにより、その分空気吹き出し口部において風の逆流が起こりにくくなり、風の流れをスムースにし、風量・静圧ロスを小さくすることができ、その結果吹き出される風量をより高風量とすることができる。
【００１１】
以下、本発明の実施の形態について、図面を参照して説明する。
【００１２】
（実施の形態１）
図１は本発明の実施の形態１の小型冷却ファンの斜視図、図２は同小型冷却ファンの平面図、図３（ａ）は図２におけるＡ−Ａ断面図、図３（ｂ）は図２におけるＢ−Ｂ断面図である。
【００１３】
図に示す本実施の形態１の冷却ファンは、冷却モジュール化されたものであり、ファン筐体７は熱伝導性のよいアルミダイカストにより偏平状の筐体として形成されており、その内部に羽根をもつ回転ファン体８をモータとともに回転自在に備え、一側方に空気吹き出し口９を設けている。また、ファン筐体７には、回転ファン体８の羽根の先端付近より外側に、空気吹き出し口９に連なる逆流防止用の風洞部１０を形成している。この逆流防止用の風洞部１０は、上から見ると回転ファン体８の空気吹き出し側およびその上流側の外側に沿い、かつ、連続したほぼＬ状の形状を有しており、そして、ファン筐体７が形成するファン室より内高さ幅を大きくしてある。
【００１４】
また、前記ファン筐体７は、その外側に受熱部１１を連接してあり、受熱部１１にはＭＰＵ等の発熱部品１２を接合している。そしてファン筐体７の空気吹き出し口９側には、放熱フイン部１３を接合している。
【００１５】
上記のように構成された本実施の形態１の冷却モジュール化された冷却ファンにおいて、発熱部品１２の熱が受熱部１１からファン筐体７を介して放熱フイン部１３に伝達され、回転ファン体８によって放熱フイン部１３を強制冷却することで効果的に熱交換作用が得られる。したがって、画像処理等のために高い周波数を扱い高い温度の発熱をするＭＰＵ等の発熱部品であっても、その温度を大きく下げて熱破壊を防止することができる。
【００１６】
ここで、ファン筐体７は、回転ファン体８の羽根の先端付近より外側に、空気吹き出し口９に連なる逆流防止用の風洞部１０を形成しているため、そして、風洞部１０の内高さ幅をファン室の内高さ幅より大きくしてあるため、逆流防止用の風洞部１０によってファンの風路が確保されるとともに、ファン部より出る風は急激に広がった空間をもつ逆流防止用の風洞部１０で吹き出しが助成され、空気吹き出し口９よりファン部への風の逆流を防止する。このため、ファンにおける風量・静圧のロスが少なくなり、約１０％程度の風量・静圧特性を改善することができる。また、逆流防止用の風洞部１０を回転ファン体８の外側に沿ったほぼＬ状の形状にすることによって、前記風量・静圧特性をより良く改善することができる。このようにして、小型・高風量で、たとえばノート型パーソナルコンピュータ等の冷却に有用な冷却ファンを実現することができる。
【００１７】
なお、前記モジュール化された冷却ファンにおいて、受熱部１１から放熱フイン部１３に熱をより有効に伝達するために、両者間にヒートパイプを用いてもよい。また、受熱部１１や放熱フイン部１３を連接しないファン単体としてもよく、本発明は図示の構造に限られるものではない。
【産業上の利用可能性】
【００１８】
以上のように、本発明によれば、パーソナルコンピュータなどの薄型の電子機器におけるＭＰＵ等の発熱部品の放熱に用いる小型冷却ファンに容易に適用できる。
【図面の簡単な説明】
【００１９】
【図１】本発明の実施の形態１の小型冷却ファンの斜視図
【図２】同小型冷却ファンの平面図
【図３】（ａ）図２におけるＡ−Ａ断面図、（ｂ）図２におけるＢ−Ｂ断面図
【図４】従来の冷却モジュールの一部切欠斜視図
【図５】同冷却モジュールの平面図
【符号の説明】
【００２０】
７    ファン筐体
８    回転ファン体
９    空気吹き出し口
１０    逆流防止用の風洞部
１１    受熱部
１２    発熱部品
１３    放熱フイン部
【図１】
2008182265.tif 000003
【図２】
2008182265.tif 000004
【図３】
2008182265.tif 000005
【図４】
2008182265.tif 000006
【図５】
2008182265.tif 000007